(57)【要約】【課題】水にぬらし、ゴルフボール及びゴルフクラブ等ゴルフ用具を、水拭きするためのタオルに引き紐を装備し、容器内に誘導・収納できる、汚れ落し具を提供する。【解決手段】水に濡らし、ゴルフボール及びゴルフクラブ等ゴルフ用具を、水拭きするためのタオルに、引き紐を取り付け、防水容器の上部に、引き紐が通る貫通口を設け、容器内より引き紐の上端を外へ出し引き手とし、引き紐の容器内側の下端に取り付けられた濡れタオルが、引き紐を外方向に引く事により、容器内に誘導・収納され、容器上部に仮止固定された蓋を、容器下部に移行させ、その開口部に蓋をすることが出来ることを特徴とする、ゴルフ用具の汚れ落し具。【選択図】  図１
2006247353.tif 000002
【特許請求の範囲】
【請求項１】
水に濡らし、ゴルフボール及びゴルフクラブ等ゴルフ用具を水拭きするためのタオルに、引き紐を取り付け、防水容器の上部に、引き紐が通る貫通口を設け、容器内より引き紐の上端を外へ出し引き手とし、引き紐の容器内側の下端に取り付けられた濡れタオルが、引き紐を外方向に引く事により、容器内に誘導・収納され、容器上部に仮止固定された蓋を、容器下部に移行させ、その開口部に蓋をすることが出来ることを特徴とする、ゴルフ用具の汚れ落し具。
【発明の詳細な説明】
【技術分野】
【０００１】  本発明は、水にぬらし、ゴルフボール及びゴルフクラブ等ゴルフ用具を、水拭きするためのタオルに引き紐を装備し、容器内に誘導・収納できる、汚れ落し具に関するものである。
【背景技術】
【０００２】  従来、ゴルフボールの汚れを拭き取るためのタオルを、収納する容器はあった。
ゴルフボールの汚れを拭き取るためタオルを濡らす必要があり、指先の冷感触を緩和させるよう、タオルの片面に防水素材を貼りあわせ、直接濡れた部分が手に触れないようにボールが拭け、防水面を外側としてたたむ事により、それに触れる対象物を湿気と汚れから守る工夫がされたゴルフボール拭きはあった。
ボール拭き用スポンジを、容器に装備し、携帯に便利なように工夫されたボール拭きはあった。
【発明の開示】
【発明が解決しようとする課題】
【０００３】  タオルを、容器内に収納するためには、あらかじめたたむ等の整形を必要とした。使用後再度収納するには、再び整形を必要とする。使用後のタオルの状態でさしつかえない再使用の場合、度々収納と使用を繰り返す作業では、手間がかかり問題があった。
防水素材を貼りあわせたものは、濡れタオル部分が非常に汚れた場合、又消耗した場合、タオル部分のみの交換が出来ず、たとえ交換が出来る工夫がされても、それは、従前ゴルフキャディーが、実施していた、防水素材と濡れタオルの組合せによる冷感触の緩和の域を越えられず、有効性が低い。
スポンジを利用したものは、拭く能力が少なく、携帯性を重視しているため、他の同伴競技者に渡して、共用してもらう汎用性に乏しい。いずれの場合も拭き取り面積が小さく、強く大きな汚れに対して、その能力に限界を感じ、また、タオル本体の洗浄にも不便さを感じた。
本発明は、この問題を解決するためになされたものである。
【課題を解決するための手段】
【０００４】  水に濡らし、ゴルフボール及びゴルフクラブ等ゴルフ用具を水拭きするためのタオルに、引き紐を取り付け、防水容器の上部に、引き紐が通る貫通口を設け、容器内より引き紐の上端を外へ出し引き手とし、引き紐の容器内側の下端に取り付けられた濡れタオルが、引き紐を外方向に引く事により、容器内に誘導・収納され、容器上部に仮止固定された蓋を、容器下部に移行させ、その開口部に蓋をすることが出来る。
タオルを使用するときは、容器下部の開口部より蓋をはずすことにより、引き紐が開放されるので、指を差し入れ、タオルの下端をつまみ、タオルを外部に引き出せば使用できることとなる。又蓋は、引き紐中間部が容器内部に曳航誘導されるため、容器上部に移行し仮止め固定ができる。
容器胴体部には、冷感触を緩和させる断熱効果と他の携行用品（グリーンホーク・グリーンマーク等）が、ハサミ込み保持できる効果をもった筒状の帯で巻かれている。
以上を特徴とするゴルフ用具汚れ落し具である。
【発明の効果】
【０００５】  容器内に濡れタオルが素早くに収納される。
濡れタオルに接触する時間が短縮され、指の冷感が緩和される。
再度の使用のため、その濡れタオルについた湿り気や汚れを、収納時では、これに接する他の対象物に移さないため、きわめて衛生的である。
容器底部に蓋がある事により、濡れタオルの乾燥が防げる。
濡れタオルが、引き紐より簡単に脱着出来る事により、単独での洗濯・洗浄が容易であり、消耗した場合の単独交換が出来る。
タオルは、市販標準サイズで、ゴルフクラブの泥等強い汚れに対応できる、十分な水拭き能力を備えている。
全ての部位が、一体化しているため、携帯性も良く、他の同伴競技者への、投げ渡しもある程度の距離があっても容易になり、共用性も良い。また、同伴競技者との共有の保管場所の移送行為も容易で、本体自身の、汚辱も抑止できる。
【発明を実施するための最良の形態】
【０００６】  以下、本発明の実施形態について説明する。
（イ）容器（１）の材質は、浸水性の無い弾性のある耐水素材である。
（ロ）引き紐（２）の材質は、浸水性の少ない耐水素材である。
（ハ）容器（１）の上部には、引き紐（２）が通る貫通口（８）があり、下部は開口部（９）であり、ここよりタオル（３）が容器内へ誘導・収納される。
（ニ）容器（１）は、円筒形で、タオル（３）を収納するに十分で、且つ最小な設計である。
（ホ）引き紐（２）は、上端にハトメ（６）がつけられている、その下部に位置する蓋（４）に貫通口（７）がある。この貫通口（７）は、引き紐（２）が通り、ハトメ（６）が通らない大きさである。これにより引き紐（２）の上端部ハトメ（６）は容器（１）の内部に入らないので、引き紐（２）により全ての部位が連係一体化される。
（ヘ）容器（１）の上部は、嵌合部（５）である。その外径が、蓋（４）の内径と合致される様になっており、蓋（４）が仮固定される仕組みである。
（ト）引き紐（２）の中間部は、容器（１）の上部の貫通口（８）より内部に入り、容器（１）の全長より若干長い長さで内部を通り、引き紐の（２）の下端となる。
（チ）引き紐（２）の下端は、結び目（１１）と留め具（１２）の組合せで、タオル（３）の穴式ハトメ（１０）を介して、タオル（３）との結合する役目をする。穴式ハトメ（１０）の貫通口は、結び目（１１）が通り、留め具（１２）が通らない大きさである。
（リ）留め具（１２）は、切り込み部（１３）と通り穴（１４）の構成で、結び目（１１）の上部を、切り込み部（１３）に嵌入させ、通り穴（１４）下部に至ることで、結び目（１１）が閂状に固定の役目をする。また結び目（１１）の上部を切り込み部（１３）より滑り出させることにより、結び目（１１）の閂状態が通り穴（１４）の下部より開放され、よって結び目（１１）と留め具（１２）が分離される。この事により、タオル（３）も穴式ハトメ（１０）の効果によりの脱着も簡単に行えるのである。
（ヌ）タオル（３）の材質は、保水性があり且つ水切れの良い、アクリル・ポリエステル混紡の不織布を是とし、容器内に支障なしに納まるサイズ・厚さ・形状である。
（ル）引き紐（２）とハトメ（６）を、容器（１）よりと遠ざかる方向へ引く事により、タオル（３）は、容器（１）の開口部（９）より自動的に、容器（１）内部に誘導・収納される。
（ヲ）タオル（３）が容器（１）に収納された状態のとき、引き紐（２）のハトメ（６）は、容器（１）の上部近接部より、より遠い外方向へ開放されるため、蓋（４）は、容器（１）の嵌合部（５）からはずせるようになる。はずした蓋（４）の上部外径は、容器（１）の開口部（９）の内径と合致する様になっているので、嵌入させれば密閉蓋となる。
（ワ）通常、タオル使用が頻繁なときは、蓋（４）は、容器（１）の嵌合部（５）に仮固定されている。タオル（３）を長時間使用しないで、乾燥が心配される時に、開口部（９）に嵌入し、密閉蓋として使用する。
（カ）タオルを使用する時は、開口部（９）より蓋（４）をはずし、開口部（９）より指を差し入れ、タオル（３）の端部をツマミ引き出すことにより、タオル（３）が使用可能となる。
（ヨ）容器（１）の胴体部には、冷触感の緩和の断熱効果と他の携行用品、グリーンホーク（１６）やグリーンマーク等が、ハサミ込み保持できる効果を持たせるため、厚みのあるラバー系で伸縮性に富・柔軟な素材でできた筒状の帯（１５）で巻かれている
【図面の簡単な説明】
【０００７】
【図１】本発明の斜視図
【図２】本発明の一部を切り欠いた斜視図
【図３】本発明のタオル収納時の実施例を示す斜視図。
【図４】本発明のタオル収納時に、下部開口部に蓋をした状態を示す斜視図。
【符号の説明】
【０００８】１  容器
２  引き紐
３  タオル
４  蓋
５  嵌合部
６  ハトメ
７  貫通口
８  貫通口
９  開口部
１０  穴式ハトメ
１１  結び目
１２  留め具
１３  切込み部
１４  通り穴
１５  筒状の帯
１６  グリーンホーク
【図１】
2006247353.tif 000003
【図２】
2006247353.tif 000004
【図３】
2006247353.tif 000005
【図４】
2006247353.tif 000006